(57)【特許請求の範囲】
【請求項１】
基板と、
該基板上に積層されると共に、レーザ光が照射されることにより光学特性が変化し、所定の表示パターンを視認可能にさせる記録層と
を備え、
前記記録層は、（ｉ）第１記録情報が再生動作に伴って再生不可能とならないように記録されている再生専用領域、及び（ｉｉ）第２記録情報が所定回数の再生動作に伴って再生不可能となる再生回数制限領域のうち少なくとも前記再生回数制限領域に形成され、
前記記録層では、前記第２記録情報に応じた記録マークが形成されることによって前記再生回数制限領域に前記第２記録情報が記録され且つ前記記録マークが前記所定回数の再生動作に伴って消去されることによって前記再生回数制限領域で前記第２記録情報が消去され、
前記記録層は、前記記録マークが消去された状態で、前記記録マークが消去された領域と前記記録マークが前記再生動作前から存在しない領域との間における光学特性の差異により前記所定の表示パターンを視認可能にするか、又は、前記記録マークが存在する状態で、前記記録マークが存在する領域と前記記録マークが前記再生動作前から存在しない領域との間における光学特性の差異により前記所定の表示パターンを視認可能にするように、形成されていることを特徴とする情報記録媒体。
【請求項２】
前記記録層は、前記記録マークが消去された状態で、前記記録マークが消去された前記再生回数制限領域と前記再生専用領域との間における前記光学特性の差異により前記所定の表示パターンを視認可能にするか、又は、前記記録マークが存在する状態で、前記記録マークが存在する前記再生回数制限領域と前記再生専用領域との間における前記光学特性の差異により前記所定の表示パターンを視認可能にするように、形成されていることを特徴とする請求項１に記載の情報記録媒体。
【請求項３】
前記再生専用領域に、前記記録層が、前記第１記録情報の再生動作に伴って光学特性が変化する又は変化しないように形成されていることを特徴とする請求項１又は２に記載の情報記録媒体。
【請求項４】
前記記録層は少なくとも部分的に、前記記録マークが前記所定回数の再生動作に伴って消去された状態で、前記光学特性の差異により前記所定の表示パターンを視認可能にし、且つ、前記記録マークが存在する状態で、前記光学特性の差異により前記所定の表示パターンを視認可能にしないように、形成されていることを特徴とする請求項１から３のいずれか一項に記載の情報記録媒体。
【請求項５】
前記記録層は少なくとも部分的に、前記記録マークが存在する状態で、前記光学特性の差異により前記所定の表示パターンを視認可能にし、且つ、前記記録マークが前記所定回数の再生動作に伴って消去された状態で、前記光学特性の差異により前記所定の表示パターンを視認可能にしないように、形成されていることを特徴とする請求項１から４のいずれか一項に記載の情報記録媒体。
【請求項６】
前記光学特性は、光反射率であることを特徴とする請求項１から５のいずれか一項に記載の情報記録媒体。
【請求項７】
前記光学特性は、屈折率であることを特徴とする請求項１から５のいずれか一項に記載の情報記録媒体。
【請求項８】
前記基板の表面には、前記光学特性の差異を発生させる凹凸パターンが形成されていることを特徴とする請求項１から７のいずれか一項に記載の情報記録媒体。
【請求項９】
前記表示パターンは、文字又は図形を含むことを特徴とする請求項１から８のいずれか一項に記載の情報記録媒体。
【請求項１０】
前記再生回数制限領域には、前記第２記録情報として、前記再生専用領域に記録された第１記録情報を再生するために必要な再生制御情報が記録されていることを特徴とする請求項１から９のいずれか一項に記載の情報記録媒体。
【請求項１１】
前記再生専用領域では、前記再生動作として再生用レーザを照射することによって前記第１記録情報が再生可能であると共に前記第１記録情報が消去されないように前記第１記録情報が記録されており、
前記再生回数制限領域では、前記再生動作として前記再生用レーザを照射することによって前記第２記録情報が前記所定回数だけ再生可能であると共に前記所定回数だけ前記再生用レーザを照射することによって前記第２記録情報が消去されることを特徴とする請求項１から１０のいずれか一項に記載の情報記録媒体。
【請求項１２】
前記再生回数制限領域では、記録用レーザが照射されることで前記第２記録情報を記録可能であることを特徴とする請求項１１に記載の情報記録媒体。
【請求項１３】
前記記録層は、前記第２記録情報が再生可能とされる再生パワー範囲が、前記第２記録情報が消去可能とされる消去パワー範囲と少なくとも部分的に重なっている記録特性を持つことを特徴とする請求項１１又は１２に記載の情報記録媒体。
【請求項１４】
前記記録層は、アモルファス状態と結晶化状態とに相変化する型式の記録層を含み、前記再生専用領域及び前記再生回数制限領域のうち少なくとも一方における、前記記録層がアモルファス状態である領域と前記記録層が結晶化状態である領域との面積比率によって、前記光学特性が少なくとも部分的に規定されることを特徴とする請求項１から１３のいずれか一項に記載の情報記録媒体。
【請求項１５】
前記記録層は、アモルファス状態と結晶化状態とに相変化する型式の記録層を含み、前記再生専用領域及び前記再生回数制限領域のうち少なくとも一方における、前記記録層の相変化率によって、前記光学特性が少なくとも部分的に規定されることを特徴とする請求項１から１４のいずれか一項に記載の情報記録媒体。
【発明の詳細な説明】
【技術分野】
【０００１】
本発明は、例えばレーザ光を照射することによって記録及び再生可能な光ディスク等の情報記録媒体の技術分野に関する。
【背景技術】
【０００２】
この種の情報記録媒体では、レーザ光の照射によって再生中に情報が誤消去されてしまわないように、情報を再生することが可能なレーザ光のパワー（即ち、エネルギ或いは光強度）の範囲（本願では適宜「再生パワー範囲」と称する）が、記録された情報を消去することが可能なレーザ光のパワーの範囲（本願では適宜「消去パワー範囲」と称する）よりも、低く設定されている。また、情報を記録することが可能なレーザ光のパワーの範囲（本願では適宜「記録パワー範囲」と称する）は、消去パワー範囲よりも高く設定されている。そして、これらの再生パワー範囲、消去パワー範囲及び記録パワー範囲は、記録層に固有であり、一般には、記録層の材料及び膜厚によって、このような設定が得られる。そして、このような記録層に対応して、情報記録再生装置では、再生用レーザに比べて、記録用レーザを遥かに高パワーで照射するように構成されている。【０００３】
他方で、情報の再生回数を制限する目的で、複数回の再生用レーザの照射によって、上述の如き特性を有する記録層を劣化させることで、情報を消去する技術も提案されている。例えば、特許文献１には、情報記録再生装置の再生用レーザのパワーを、情報記録媒体上の情報データが消去されるパワーの近傍にまで高めて、制御された一定の回数、再生用レーザを照射することで、記録された情報を消去する技術が開示されている。【０００４】
また、例えばＣＤ−Ｒ、ＤＶＤ−Ｒ等の記録可能型の光ディスクと同様の記録可能な記録領域と、例えばＣＤ−ＲＯＭ、ＤＶＤ−ＲＯＭ等の再生専用型の光ディスクと同様の再生専用の記録領域とを、一枚の光ディスクの外周寄り領域及び内周寄り領域に分けて併せ持つ、ハイブリッド型光ディスクも提案されている。【０００５】
【特許文献１】特開２００１−３３１９４２号公報
【特許文献２】特開２００１−６７７３１号公報
【発明の開示】
【発明が解決しようとする課題】
【０００６】
しかしながら、前述したハイブリッド型光ディスクによれば、再生回数を制限する技術との組合せは、なお技術的に困難である。【０００７】
また、前述した再生回数が制限された光ディスクによれば、現在、再生可能な状態にあるのか又は所定回数の再生を終えて再生不可能な状態にあるのかを、確実に或いは簡単に知り得る方法がないという技術的な問題点がある。【０００８】
そこで本発明は、例えば上記問題点に鑑みなされたものであり、再生回数に制限をかけることが可能であり、しかも、再生可能な状態にあるのか否かに関する情報を確実或いは簡単に知らしめることが可能である情報記録媒体を提供することを課題とする。
【課題を解決するための手段】
【０００９】
本発明の情報記録媒体は、基板と、該基板上に積層されると共に、レーザ光が照射されることにより光学特性が変化し、視認可能な表示パターンが表示又は消去される記録層とを備える。【００１０】
本発明の情報記録媒体によれば、例えば、光ディスクプレーヤ等の情報再生装置によって、レーザ光が照射されることによって、記録層の光学特性を変化させることが可能となる。ここに、本願発明に係る「光学特性」とは、例えば光反射率、光吸収率、遮光率、屈折率、若しくは、反射光、透過光、屈折光等における色彩、彩度、明度等の各種の光学特性を挙げることができる。【００１１】
以上より、例えば、制限された回数だけレーザ光が照射されたか否かに応じて、視認可能な、即ち、視覚的に認識可能な表示パターンが表示又は消去されることが可能となる。よって、例えば、現在、当該情報記録媒体が再生可能な状態にあるのか否かに関する情報を、ユーザに対して確実或いは簡単に知らしめることが可能となる。【００１２】
本発明の情報記録媒体の一態様では、第１記録情報が再生動作に伴って再生不可能とならないように記録されている再生専用領域と、第２記録情報が所定回数の再生動作に伴って再生不可能となる再生回数制限領域とを更に有し、前記記録層は、前記再生回数制限領域に対応して形成されている。【００１３】
この態様によれば、例えば光ディスクプレーヤ等の情報再生装置によって、記録層に対応される再生回数制限領域に記録された第２記録情報を、１回又は複数回である所定回数だけ再生できる。これと相前後して又は並行して、再生専用領域に記録された第１記録情報についても再生できる。その後、所定回数だけ再生した後には、当該所定回数の再生動作に伴って第２記録情報が例えば消去されるなどして、第２記録情報はもはや再生不可能となる。【００１４】
他方、第１記録情報は、再生可能なままとされてもよい。又は、第２記録情報を、第１記録情報を再生するために必要な情報、例えばエンクリプションされた第１記録情報に対応するエンクリプションキーや、第２記録情報のファイル管理を行うファイルシステム情報などとしておくことで、第１記録情報についても再生不可能とされてもよい。このように第２記録情報や、第１及び第２記録情報の再生回数に対して比較的容易に制限をかけられる。更に、第１記録情報を再生するために第２記録情報が必要であるようにこれらの第１及び第２記録情報を記録しておけば、第２記録情報を所定回数だけ再生して第１記録情報についても再生不可能となった後に、第２記録情報だけを再び記録すれば、第１記録情報についてはそのまま維持されているので、結局第１及び第２記録情報を再生可能な状態を復元できる。このように当該情報記録媒体を再利用できる。【００１５】
尚、再生回数制限領域では、第２記録情報は、所定回数として１回だけ再生可能であるように構成してもよい。或いは、所定回数として２回、３回、４回等の複数回だけ再生可能であるように構成してもよい。また、例えば１回のみ、２回のみなど厳密に再生回数制限をかけてもよいし、例えば５回程度、１０回程度など、ある程度の回数範囲を持って再生回数制限をかけてもよい。【００１６】
加えて、第１記録情報として映画等の情報データ量の大きいコンテンツをスタンパによって、一挙に再生専用領域に記録できるので、情報記録媒体１枚当りの作成時間を短縮させ、生産性を向上させることも可能である。【００１７】
以上より、再生回数に制限をかけることが可能となり、しかも、制限された再生回数だけ再生を終えたか否かに応じて異なる表示パターンを表示又は消去可能となるので、現在、当該情報記録媒体が再生可能な状態にあるのか否かに関する情報を、ユーザに対してより確実に或いは簡単に知らしめることが可能となる。【００１８】
本発明の情報記録媒体の更に一態様では、前記記録層では、前記第２記録情報に応じた記録マークが形成されることによって前記再生回数制限領域に前記第２記録情報が記録され且つ前記記録マークが前記所定回数の再生動作に伴って消去されることによって前記再生回数制限領域で前記第２記録情報が消去され、前記基板及び前記記録層のうち少なくとも一方は、前記記録マークが消去された状態で、前記記録マークが消去された領域と前記記録マークが前記再生動作前から存在しない領域との間における光学特性の差異が視認可能な表示パターンをなすか、又は、前記記録マークが存在する状態で、前記記録マークが存在する領域と前記記録マークが前記再生動作前から存在しない領域との間における光学特性の差異が視認可能な表示パターンをなすように、形成されている。【００１９】
この態様によれば、第２記録情報が再生可能である当初は、基板上における少なくとも再生回数制限領域に積層された記録層に、第２記録情報に応じた記録マークが形成されている。その後、再生動作に伴って、この記録マークが消去されることによって、再生回数制限領域で第２記録情報が消去される。【００２０】
そして、本発明では特に、基板及び記録層のうち少なくとも一方は、所定回数の再生後における記録マークが消去された状態で、記録マークが消去された領域と記録マークが再生動作前から存在しない領域との間における光学特性の差異が、例えば、「再生不可能」、「再生×」、「×」といった文字や図形などの、視認可能な表示パターンをなす。例えば、記録層がアモルファス状態であるか結晶状態であるかに応じた、基板表面における光反射率の面内分布や、記録層が積層された下地をなす基板表面の凹凸に応じた、基板表面における光反射率の面内分布などに応じて、記録マークが消去された状態で、表示パターンが視認されることになる。従って、所定回数の再生前における記録マークが存在する状態で見られる表示パターン（例えば、無地或いは均一パターン）とは異なる、当該「再生不可能」等の表示パターンを、所定回数の再生後に情報記録媒体表面に表示することが可能となる。【００２１】
又は、基板及び記録層のうち少なくとも一方は、所定回数の再生前における記録マークが存在する状態で、記録マークが存在する領域と記録マークが再生動作前から存在しない領域との間における光学特性の差異が、例えば、「再生可能」、「再生○」、「○」といった文字や図形などの、視認可能な表示パターンをなす。従って、所定回数の再生後における記録マークが消去された状態で見られる表示パターン（例えば、無地或いは均一パターン）とは異なる、当該「再生可能」等の表示パターンを、所定回数の再生前に情報記録媒体表面に表示することが可能となる。【００２２】
以上より、再生回数に制限をかけることが可能となり、しかも、制限された再生回数だけ再生を終えたか否かに応じて異なる表示パターンを表示又は消去可能となるので、現在、当該情報記録媒体が再生可能な状態にあるのか否かに関する情報を、ユーザに対して更に確実に或いは簡単に知らしめることが可能となる。【００２３】
本発明の情報記録媒体の他の態様では、前記基板及び前記記録層のうち少なくとも一方は、前記記録マークが消去された状態で、前記記録マークが消去された前記再生回数制限領域と前記再生専用領域との間における前記光学特性の差異が前記表示パターンをなすか、又は、前記記録マークが存在する状態で、前記記録マークが存在する前記再生回数制限領域と前記再生専用領域との間における前記光学特性の差異が前記表示パターンをなすように、形成されている。【００２４】
この態様によれば、基板及び記録層のうち少なくとも一方は、所定回数の再生後における記録マークが消去された状態で、記録マークが消去された再生回数制限領域と、記録マークが再生動作前から存在しない再生専用領域との間における光学特性の差異が、「再生不可能」等といった文字や図形などの、視認可能な表示パターンをなす。従って、「再生不可能」等の表示パターンを、所定回数の再生後に情報記録媒体表面に表示することが可能となる。【００２５】
又は、基板及び記録層のうち少なくとも一方は、所定回数の再生前における記録マークが存在する状態で、記録マークが存在する再生回数制限領域と記録マークが再生動作前から存在しない再生専用領域との間における光学特性の差異が、「再生可能」等といった文字や図形などの、視認可能な表示パターンをなす。従って、「再生可能」等の表示パターンを、所定回数の再生前に情報記録媒体表面に表示することが可能となる。【００２６】
本発明の情報記録媒体の他の態様では、前記再生専用領域に、前記記録層が、前記第１記録情報の再生動作に伴って光学特性が変化する又は変化しないように形成されている。【００２７】
この態様によれば、再生動作の前後で、光学特性が変化する又は変化しない記録層が、再生専用領域にも設けられている。例えば、エンボスピットを形成することで、記録層の有無に関わらず、第１記録情報を再生専用領域に記録できる。そして、例えばグルーブトラックに該エンボスピットを形成し、且つ、これに対する再生動作として、レーザ光を、グルーブトラックに沿って照射する場合には、グルーブトラック上に記録マークと同じ光学特性を有する状態にある（例えば、黒っぽい状態にある）記録層を形成しておけば、レーザ光の照射によって、その光学特性は変化することになる。或いは、ランドトラック上に記録マークと同じ光学特性を有する状態にある（例えば、黒っぽい状態にある）記録層を形成しておけば、ランドトラックに沿ったレーザ光の照射によって、光スポット径に応じて、その光学特性は変化しない又は変化することになる。何れの場合にも、第２記録情報としての記録マークが消去された再生回数制限領域と再生専用領域との間における光学特性の差異が、再生後に視認可能な表示パターンをなすように、例えばレーザ光の照射を受けるまでは黒っぽい記録層の存在を利用して再生専用領域における光学特性を調整するとよい。或いは、第２記録マークとしての記録マークが存在する領域と再生専用領域との間における光学特性の差異が、再生前に視認可能な表示パターンをなすように、例えばレーザ光の照射を受けるまでは黒っぽい記録層の存在を利用して再生専用領域における光学特性を調整するとよい。【００２８】
このように再生専用領域については、例えばグルーブトラックに、エンボスピットに重ねて専ら光学特性を調整するための、即ち記録情報を担持しない、言わばダミーの記録マーク（例えば、黒っぽい状態にある記録層）を形成したり、例えばランドトラックに、同じく言わばダミーの記録マークを形成することで、当該再生専用領域の光学特性を調整できる。【００２９】
加えて、再生回数制限領域についても、例えばランドトラックに、専ら光学特性を調整するための、即ち記録情報を担持しない、言わばダミーの記録マーク（例えば、黒っぽい状態にある記録層）を形成することで、当該再生回数制限領域の光学特性を調整できる。【００３０】
本発明の情報記録媒体の他の態様では、前記基板及び前記記録層のうち少なくとも一方は少なくとも部分的に、前記記録マークが前記所定回数の再生動作に伴って消去された状態で、前記光学特性の差異が前記表示パターンをなし、且つ、前記記録マークが存在する状態で、前記光学特性の差異が前記表示パターンをなさないように、形成されている。【００３１】
この態様によれば、所定回数の再生動作が行なわれていない場合には、光学特性の差異が表示パターンをなさない。即ち、この場合には、表示パターンが見えない。このような状態は、記録マークが存在する際に、上述の光学特性が同じになるように、記録層を形成する領域を調整することにより得られる。又は、記録マークが存在する際に、上述の光学特性が同じになるように、記録層に記録マークを形成することや、前述の如き専ら光学特性を調整するための言わばダミーの記録マークを形成することにより得られる。或いはこれに代えて又は加えて、このような状態は、記録マークが存在する際に、上述の光学特性が同じになるように、グルーブトラックやランドトラックにエンボスピットを形成することや、再生回数が制限されていない第１記録情報とは無関係であり専ら光学特性を調整するための言わばダミーのエンボスピットを形成することにより得られる。【００３２】
その後、所定回数の再生後における記録マークが消去された状態で、上述の光学特性の差異が、例えば「再生不可能」といった文字等の視認可能な表示パターンをなす。即ち、再生可能な当初は見えなかった表示パターンが、所定回数の再生動作を経て再生不可能となった際に、見えるようにできる。例えば、再生不可能となった場合に、「再生不可能」といった文字が視覚上で浮かび上がってくるように見える。【００３３】
本発明の情報記録媒体の他の態様では、前記基板及び前記記録層のうち少なくとも一方は少なくとも部分的に、前記記録マークが存在する状態で、前記光学特性の差異が前記表示パターンをなし、且つ、前記記録マークが前記所定回数の再生動作に伴って消去された状態で、前記光学特性の差異が前記表示パターンをなさないように、形成されている。【００３４】
この態様によれば、所定回数の再生動作が行なわれた場合には、光学特性の差異が表示パターンをなさない。即ち、この場合には、表示パターンが見えない。このような状態は、記録マークが消去された際に、上述の光学特性が同じになるように、記録層を形成する領域を調整することにより得られる。又は、記録マークが消去された際に、上述の光学特性が同じになるように、記録層に記録マークを形成することや、前述の如き専ら光学特性を調整するための言わばダミーの記録マークを形成することにより得られる。或いはこれに代えて又は加えて、このような状態は、記録マークが消去された際に、上述の光学特性が同じになるように、グルーブトラックやランドトラックにエンボスピットを形成することや、再生回数が制限されていない第１記録情報とは無関係であり専ら光学特性を調整するための言わばダミーのエンボスピットを形成することにより得られる。【００３５】
その以前、即ち所定回数の再生前における記録マークが存在する状態では、記録マークが存在する領域と記録マークが前記再生動作前から存在しない領域との間における光学特性の差異が、例えば「再生可能」といった文字等の視認可能な表示パターンをなす。即ち、再生可能な当初は見えた表示パターンが、所定回数の再生動作を経て再生不可能となった際に、見えなくなるようにできる。例えば、再生不可能となった場合に、「再生可能」といった文字が視覚上消えることになる。【００３６】
尚、上述の如き二つの態様を組合せてもよい。即ち、前記記録マークが消去された状態で、前記光学特性の差異が前記表示パターンをなし、且つ、前記記録マークが存在する状態で、前記光学特性の差異が前記表示パターンをなさないように、形成された一の領域と、前記記録マークが存在する状態で、前記光学特性の差異が前記表示パターンをなし、且つ、前記記録マークが消去された状態で、前記光学特性の差異が前記表示パターンをなさないように、形成された他の領域とを、組み合わせてもよい。このように形成すれば、再生可能な際に、他の領域に、例えば「再生可能」といった特定の文字や図形などの表示パターンを視認可能に表示させておき、その後、再生不可能に至った際に、一の領域に、例えば「再生不可能」といった特定の文字や図形などの表示パターンを視認可能に表示させるようにできる。この場合、特にディスク状の情報記録媒体にあっては、視覚的上で文字が変更したかのように認識されることとなる。このような組み合わせ方としては、例えば奇数トラックを、文字等を浮かび上がらせるために用いて、偶数トラックを、文字等を消すために用いてもよい。或いは、ディスク状の情報記録媒体の半円部分を、文字等を浮かび上がらせるために用いて、残りの半円部分を、文字等を消すために用いてもよい。更に、多層ディスクにおいて、一の記録層を、文字等を浮かび上がらせるために用いて、他の記録層を、文字等を消すために用いてもよい。【００３７】
この態様では、前記光学特性は、光反射率であるように構成してもよい。【００３８】
このように構成すれば、光反射率の差異が視認可能な表示パターンをなすように基板及び記録層の少なくとも一方が形成されているので、特に記録膜と基板との間に、例えばアルミニウム膜等の光反射膜を備えた、反射型の情報記録媒体においては、比較的簡単に、視認性に優れた表示パターンを表示できるようになる。即ち、この場合、例えば再生動作の一環としてレーザ光を照射する側から見て、記録層の奥側に位置する基板上に、反射膜を形成しておき、当該情報記録媒体を反射型の情報記録媒体とするとよい。【００３９】
尚、反射率に限らず、光吸収率、遮光率、若しくは、反射光、透過光、屈折光等における色彩、彩度、明度など、表示パターンが視認可能となる限り、いずれの光学特性であっても構わない。【００４０】
この態様では、前記光学特性は、屈折率であるように構成してもよい。【００４１】
このように構成すれば、例えば、記録層の光学特性を変化させる際に、より適切な他の製造工程を採用することも可能となる。【００４２】
本発明の情報記録媒体の他の態様では、前記基板の表面には、前記光学特性の差異を発生させる凹凸パターンが形成されている。【００４３】
この態様によれば、基板の表面に形成されたエンボスピット等の凹凸パターンを利用して、表示パターンを表示させる。例えば、再生可能である際に、凹凸パターンが形成された領域と、記録マークが形成された領域との間で、光反射率等の光学特性がほぼ一致するように、凹凸パターンや記録マークを形成しておく。するとその後、記録マークが消去された際には、凹凸パターンに応じた表示パターンが、相対的に明るく（又は暗く）浮き出てくることになる。或いは、再生不可能とされた際に、凹凸パターンが形成された領域と、記録マークが消去された領域との間で、光反射率等の光学特性がほぼ一致するように、凹凸パターンを形成しておく。するとそれ以前に、記録マークが存在する際に凹凸パターンに応じた表示パターンが相対的に暗く（又は明るく）浮き出ており、これが再生不可能となった際に消えることになる。【００４４】
本発明の情報記録媒体の他の態様では、前記表示パターンは、文字又は図形を含む。【００４５】
この態様によれば、所定回数の再生動作の後に、文字や図形を浮き出させたり、消去したりが可能となり、再生不可能となった旨を、非常に容易にユーザに知らせることが可能となる。尚、文字や図形に限らず、所定ルールや規格に従って、模様や色を変化させることで、当該再生不可能となった旨を知らせることも可能である。例えば、全体が黒っぽくなった場合には、再生不可であるとしてもよい。また、再生可能又は不可能とは無関係に表示される文字や図形と組み合わせることも可能である。例えば、再生可能又は不可能とは無関係に、情報記録媒体上の所定領域に、「再生」の文字を表示させ、これに続く領域に、再生可能又は不可能に応じて浮き出たり消えたりする「可能」や「不可能」の文字を表示させるように構成してもよい。【００４６】
本発明の情報記録媒体の他の態様では、前記再生回数制限領域には、前記第２記録情報として、前記再生専用領域に記録された第１記録情報を再生するために必要な再生制御情報が記録されている。【００４７】
この態様によれば、第２記録情報として、第１記録情報を再生するために必要な、例えばコントロールエリア、エンクリプションキー、ファイルシステム、アドレス等の再生制御情報が記録されているので、第２記録情報が例えば消去されるなどして再生不可能とされた後には、例えばコンテンツ情報等の第１記録情報を再生することも不可能となる。よって、相対的に少量の第２記録情報を再生不可能とするだけで、相対的に大量の第１記録情報をも再生不可能とすることででき、非常に効率良く、当該情報記録媒体の全体について再生回数制限をかけることができる。更に、相対的に大量の第１記録情報についてはそのまま維持されているので、一旦再生不可能とされた後に相対的に少量の第２記録情報を再び記録するだけで、非常に効率良く当該情報記録媒体の全体について再利用可能となる。【００４８】
尚、通常のビデオコンテンツの場合、例えばファイルシステム等の再生制御情報へのアクセスは最初の起動時の１回だけであるので、再生専用領域に記録されているビデオコンテンツ等の第１記録情報に関しては、情報記録媒体が排出されない限り、複数回何度でも再生することができる。【００４９】
逆に、前記再生専用領域には、前記第１記録情報として、前記再生回数制限領域に記録された第２記録情報を再生するために必要な再生制御情報が記録されていてもよい。加えて、例えば、前記第１記録情報と前記第２記録情報とに関連があり、前記第１記録情報に対する所定処理により或いは前記第１記録情報に基づく所定処理により、前記第２記録情報が再生されるように構成してもよい。何れの場合でも、第２記録情報が所定回数の再生動作に伴って消去された後には、当該情報記録媒体を適切に再生することはできなくなる。【００５０】
本発明の情報記録媒体の他の態様では、前記再生専用領域では、前記再生動作として再生用レーザを照射することによって前記第１記録情報が再生可能であると共に前記第１記録情報が消去されないように前記第１記録情報が記録されており、前記再生回数制限領域では、前記再生動作として前記再生用レーザを照射することによって前記第２記録情報が前記所定回数だけ再生可能であると共に前記所定回数だけ前記再生用レーザを照射することによって前記第２記録情報が消去されるように記録されている。【００５１】
この態様によれば、再生回数制限領域では、情報再生装置によって、例えば典型的には１回である、所定回数だけ再生用レーザが照射されると、第２記録情報は消去される。例えば、第２記録情報が記録される記録層に固有である消去レーザ範囲が再生レーザ範囲と重なっていれば、第２記録情報は、このように再生されつつ消去されることになる。【００５２】
この態様では、前記再生回数制限領域では、記録用レーザが照射されることで前記第２記録情報を記録可能であるように構成してもよい。【００５３】
このように構成すれば、例えばユーザによる情報再生装置での利用によって、所定回数の再生動作に伴って再生不可能とされた情報記録媒体が、回収業者或いは提供者の元に回収された後には、該回収業者らによる記録用レーザの照射によって再び第２記録情報を記録できる。このように情報記録媒体の再利用が比較的簡単にできる。【００５４】
更に、この態様では、前記記録層は、前記第２記録情報が再生可能とされる再生パワー範囲が、前記第２記録情報が消去可能とされる消去パワー範囲と少なくとも部分的に重なっている記録特性を持つように構成してもよい。【００５５】
このように構成すれば、再生パワー範囲及び消去パワー範囲は、記録層に固有であり、基本的には、記録層の材料（材質）及び膜厚、溝深さなどにより決定される。従って、例えば光ディスクプレーヤ等の情報再生装置において、当該情報記録媒体に対して、消去パワー範囲と再生パワー範囲とが重なった範囲内にあるパワーを有するレーザ光を、再生用レーザとして照射することで再生を行えば、記録情報を再生しつつ消去することが可能となる。より具体的には、記録層に固有の消去パワー範囲内であって且つ再生パワー範囲内にあるパワーを有するレーザ光を、再生用レーザとして、当該記録層に照射すると、記録層から出射される光（例えば、典型的には反射光、或いは回折光、屈折光、透過光などの出射光）における光学特性（例えば、反射率、偏光状態等）が変化するので、例えば相変化によるピットとして記録された記録情報の再生が可能とされる。同時に、照射されたレーザ光によって、例えば相変化によるピットとして記録された記録情報が消去される。【００５６】
このように、記録層に記録された記録情報を一回だけ再生可能となる。更に、やはり記録層に固有である記録情報が記録可能とされる記録パワー範囲内にあるパワーを有するレーザ光を、記録用レーザとして、上述の如く記録情報が消去された記録層に対しては照射することで、再び記録情報を記録することもできる。このように、何度でも記録情報を記録しこれを一回だけ再生しつつ消去するプロセスを繰り返すことも可能となる。【００５７】
但し、このような記録については、市販されている民生用の情報記録再生装置（例えば、光ディスクレコーダ）によっては不可能なようにするのが好ましく、専用の情報記録装置によって行われるのが好ましい。即ち、このように構成すれば、例えば、回収業者において、ユーザ側で消去された部分のみを再度記録することによって、記録された状態を比較的簡単に復元でき、ユーザによる不正な復元を防止することが出来る。【００５８】
尚、上述のように再生パワー範囲と消去パワー範囲とが重なる記録特性を有するように記録層を形成するには、例えば、実験的、経験的又は理論的若しくはシミュレーション等により、当該記録層を構成する複数材料間の比率と層厚とを調整して、個別具体的に該記録特性が得られるようすればよい。更に、上述の如き記録特性を有する多層構造の記録層を形成するには、多層について同様に実験的等により比率や層厚を調整すればよい。【００５９】
本発明の情報記録媒体の他の態様では、前記記録層は、アモルファス状態と結晶化状態とに相変化する型式の記録層を含み、前記再生専用領域及び前記再生回数制限領域のうち少なくとも一方における、前記記録層がアモルファス状態である領域と前記記録層が結晶化状態である領域との面積比率によって、前記光学特性が少なくとも部分的に規定される。【００６０】
この態様によれば、記録層がアモルファス状態である領域と記録層が結晶化状態である領域との面積比率によって、記録層における相変化に応じて該記録層の光学特性を変化させることで、表示パターンを浮き出させたり、消去したりが可能となる。例えば、アモルファス状態である領域が相対的に広ければ光反射率が低下するので暗く見え、アモルファス状態である領域が相対的に狭ければ光反射率が上昇するので明るく見え、結果として該面積比率の分布に応じた明暗の表示パターンを表示可能となる。【００６１】
因みに、光ディスクの場合には、再生回数制限領域には、所謂３Ｔ〜１１Tマークからなる記録マークがランダムに配置されることになるので、記録後の情報記録媒体は、基板面内の反射率が当該再生回数制限領域で均一となる。従って、このような反射率を基準として、アモルファス状態である領域の面積比率によって、光学特性を再生回数制限領域と再生専用領域との間で調整することは、比較的容易である。【００６２】
本発明の情報記録媒体の他の態様では、前記記録層は、アモルファス状態と結晶化状態とに相変化する型式の記録層を含み、前記再生専用領域及び前記再生回数制限領域のうち少なくとも一方における、前記記録層の相変化率によって、前記光学特性が少なくとも部分的に規定される。【００６３】
この態様によれば、記録層がアモルファス状態である領域と記録層が結晶化状態である領域との相変化率によって、記録層における相変化に応じて該記録層の光学特性を変化させることで、表示パターンを浮き出させたり、消去したりが可能となる。例えば、アモルファス状態への相変化率が相対的に高ければ光反射率が低下するので暗く見え、アモルファス状態への相変化率が相対的に低ければ光反射率が上昇するので明るく見え、結果として該相変化率の分布に応じた明暗の表示パターンを表示可能となる。【００６４】
因みに、光ディスクの場合には、再生回数制限領域には、所謂３Ｔ〜１１Tマークからなる記録マークがランダムに配置されることになるので、記録後の情報記録媒体は、基板面内の反射率が当該再生回数制限領域で均一となる。従って、このような反射率を基準として、アモルファス状態への変化率によって、光学特性を再生回数制限領域と再生専用領域との間で調整することは、比較的容易である。【００６５】
本発明のこのような作用及び他の利得は次に説明する実施例から明らかにされる。【００６６】
以上説明したように、本発明の情報記録媒体によれば、基板と、レーザ光が照射されることにより光学特性が変化し、視認可能な表示パターンが表示又は消去される記録層とを備えるので、再生回数に制限をかけることが可能であり、しかも、再生可能な状態にあるのか否かに関する情報を確実或いは簡単に知らしめることが可能である。
【図面の簡単な説明】
【００６７】
【図１】本発明の情報記録媒体の第１実施例に係る光ディスクの基本構造を示し、上側部分は複数の記録領域を有する光ディスクの概略平面図であり、これに対応付けられる下側部分は、その径方向における記録領域構造の図式的概念図である。
【図２】本発明の第１実施例に係る光ディスクの再生回数制限領域及び再生専用領域における記録層の再生パワー範囲、消去パワー範囲及び記録パワー範囲の一具体例を示したグラフ図である。
【図３】比較例に係る光ディスクにおける再生回数制限領域及び再生専用領域の再生前の物理的構造の断面及び平面を示した図式的拡大図である。
【図４】本発明の第１実施例に係る光ディスクの再生回数制限領域及び再生専用領域の再生前の物理的構造の断面及び平面を示した図式的拡大図である。
【図５】本発明の第１実施例に係る光ディスクの再生回数制限領域及び再生専用領域の再生後の物理的構造の一具体例における断面及び平面を示した図式的拡大図である。
【図６】本発明の第１実施例に係る光ディスクの再生回数制限領域及び再生専用領域の再生後の物理的構造の他の具体例における断面及び平面を示した図式的拡大図である。
【図７】本発明の第１実施例に係る光ディスクの記録面に透かし文字が再生後に浮かび上がった一具体例を示した模式図である。
【図８】本発明の第２実施例に係る光ディスクの再生回数制限領域及び再生専用領域の再生前の物理的構造の断面及び平面を示した図式的構造図である。
【図９】本発明の第３実施例に係る光ディスクの再生回数制限領域及び再生専用領域の再生前の物理的構造の断面及び平面を示した図式的構造図である。
【図１０】本発明の第４実施例に係る光ディスクの再生回数制限領域及び再生専用領域の再生前の物理的構造の断面及び平面を示した図式的構造図である。
【図１１】本発明の第５実施例に係る光ディスクの再生専用領域の一部及び他の一部の再生前の物理的構造の断面及び平面を示した図式的拡大図である。
【図１２】本発明の第５実施例に係る光ディスクの再生専用領域の一部及び他の一部の再生後の物理的構造の断面及び平面を示した図式的拡大図である。
【図１３】本発明の第５実施例に係る光ディスクの記録面の透かし文字が再生後に消去される一具体例を示した模式図である。
【図１４】本発明の第６実施例に係る光ディスクの再生専用領域の一部及び他の一部の再生前の物理的構造の断面及び平面を示した図式的拡大図である。
【図１５】本発明の第７実施例に係る光ディスクの再生専用領域の一部及び他の一部の再生前の物理的構造の断面及び平面を示した図式的拡大図である。
【図１６】本発明の第８実施例に係る光ディスクの記録面の透かし文字が再生後に変更される一具体例を示した模式図である。
【図１７】本発明の第９実施例に係る光ディスクの断面を示した図式的拡大図である。
【図１８】本発明の第１０実施例に係る光ディスクの断面を示した図式的拡大図である。
【図１９】本発明の実施例に係る光ディスクの情報再生装置の全体構成を示すブロック図である。
【符号の説明】
【００６８】
１…センターホール、１０…トラック、１１…セクタ、２０…記録マーク、３０…記録層、３１…反射層、３２…基板、３３…保護層、３４（３５）…光学特性変化膜、１００…光ディスク、１０１…リードインエリア、１０２…データゾーン、１０３…リードアウトエリア、１５０…再生回数制限領域、１６０…再生専用領域、２００…情報再生装置、２０２…光ピックアップ、２０３…スピンドルモータ、２０４…ヘッドアンプ、２１０…総和生成回路、２１１…ピットデータ復調回路、２１２…ピットデータ訂正回路、２１３…バッファ、２１４…インターフェース、２２０…プッシュプル信号生成回路、２２１…ローパスフィルタ、２２２…サーボユニット、Ｇ…グルーブトラック、Ｌ…ランドトラック、ＥＰ…エンボスピット、ＥＳ…エンボススペース
【発明を実施するための最良の形態】
【００６９】
以下、本発明を実施するための最良の形態について実施例毎に順に図面に基づいて説明する。【００７０】
（情報記録媒体の第１〜第４実施例）
図１から図１０を参照して、本発明の情報記録媒体に係る、透かし文字が浮かび上がる光ディスクの実施例である、第１から第４実施例について詳細に説明する。【００７１】
（第１実施例）
以下、本発明の情報記録媒体の第１実施例について図１から図７を参照して説明する。【００７２】
先ず図１を参照して、第１実施例に係る光ディスクの基本構造について説明する。ここに図１は、本発明の情報記録媒体の第１実施例に係る光ディスクの基本構造を示し、上側部分は複数の記録領域を有する光ディスクの概略平面図であり、これに対応付けられる下側部分は、その径方向における記録領域構造の図式的概念図である。【００７３】
図１に示すように、光ディスク１００は、例えば、ＤＶＤと同じく直径１２ｃｍ程度のディスク本体上の記録面に、センターホール１を中心として内周側から外周側に向けて、本実施例に係るリードインエリア１０１、データゾーン１０２及びリードアウトエリア１０３が設けられている。そして、各記録領域には、例えば、センターホール１を中心にスパイラル状或いは同心円状に、例えば、グルーブトラック及びランドトラック等のトラック１０が交互に設けられている。このトラック１０上には、データがセクタ１１という単位で分割されて記録される。セクタ１１は、記録情報がエラー訂正可能なプリフォーマットアドレスによるデータ管理単位である。【００７４】
尚、本発明の光ディスク１００は、１層構造でなくてもよい。２層片面、即ち、ダブルレイヤ又は１層両面、即ち、ダブルサイドであってもよい。【００７５】
第１実施例に係る光ディスクは、物理的特性の観点から分類した２種類の記録領域、より詳細には、再生回数制限領域１５０及び再生専用領域１６０を併せ持つハイブリッド型光ディスクとして構築されている。【００７６】
再生回数制限領域１５０においては、記録情報（即ち、本願発明に係る「第２記録情報」）が、例えば記録層の相変化による記録マークとして記録されており、一回又はある制限された複数回だけ再生用レーザの照射による記録情報の再生が可能である。それと同時に該一回又はある制限された複数回の再生用レーザの照射による再生によって記録情報が消去される。更に消去後に再び記録用レーザの照射による記録情報の再記録が可能である。【００７７】
他方で、再生専用領域１６０においては、記録情報（即ち、本願発明に係る「第１記録情報」）が、例えばエンボスピットとして記録されており、物理的に何度でも再生用レーザの照射による記録情報の再生が可能であるＲＯＭ型光ディスクとしての性質が有される。【００７８】
尚、再生回数制限領域１５０と再生専用領域１６０との配置については、例えば、ピット毎、セクタ毎といった極めて細かい単位で混在させてもよいし、例えば、光ディスク１００の内周寄りと外周寄りとのなど極めて粗い単位で混在させてもよい。【００７９】
以下に説明するように、映像情報や音楽情報等のコンテンツ情報を記録する領域は概ね再生専用領域１６０とされ、係るコンテンツ情報の再生を制御する情報を記録する領域の少なくとも一部分は再生回数制限領域１５０とされる。即ち、このような構成とすることで、所定回数の再生により再生不可能とされた光ディスク１００に対して、比較的小さい領域を占める再生回数制限領域１５０のみに情報を再記録すれば、再び再生可能な状態に戻すことが可能となる。従って、リサイクルを容易とする上で有利である。但し、再生回数制限領域１５０が占める領域を広げることは任意であり、極端な場合には、再生専用領域１６０を殆ど又は完全に無くして、且つ殆ど又は完全に再生回数制限領域１５０ばかりとしてもよい。【００８０】
後述に詳細に説明されるように、第１実施例に係る光ディスク１００の再生専用領域１６０と再生回数制限領域１５０とにおいては、記録マーク２０が存在する場合と記録マーク２０が再生されると同時に消去された場合との間で、夫々の領域の反射率を殆ど又は完全に同じにさせたり又は異ならせたりすることが可能である。より具体的には、例えば、再生回数制限領域１５０において記録マーク２０が存在する場合に、再生回数制限領域１５０における反射率と再生専用領域１６０における反射率とを殆ど又は完全に同じにする。他方、再生回数制限領域１５０において記録マーク２０が再生されると同時に消去された場合に、再生回数制限領域１５０における反射率と再生専用領域１６０における反射率とを異ならせる。或いは逆の構成として、再生専用領域１６０において記録マーク２０が存在する場合に、例えば、再生専用領域１６０の一部と他の一部における反射率を異ならせる。他方、例えば、再生専用領域１６０の一部において記録マーク２０が再生されると同時に消去された場合に、再生専用領域１６０の一部と他の一部における反射率を殆ど又は完全に同じにする。【００８１】
以上のように、記録マーク２０の存在の有無によって、夫々の領域における反射率を同じにさせたり又は異ならせたりすることで、光ディスク１００の記録領域の表面において再生専用領域１６０に加えて又は代えて再生回数制限領域１５０によって構成された文字や図形を視覚的に区別し浮かび上がらせたり、消去したりすることが可能となる。【００８２】
尚、本実施例に係る「記録マーク」とは、再生回数制限領域１５０において、再生回数が制限された記録情報（即ち、本発明に係る「第２記録情報」）を担持する記録マークの他に、再生回数制限領域１５０又は再生専用領域１６０において、記録情報と無関係に、レーザ光の照射前における、即ち所定回数の再生動作以前における記録層の反射率を専ら低くするための、言わば「ダミーの記録マーク」を含む趣旨である。即ち、ダミーの記録マークを利用することで、文字や図形を視覚的に区別し浮かび上がらせたり、消去したりする際の自由度を増大させることや浮かび上がる文字等の高コントラスト化が可能となる。同様に、エンボスピットについても、再生回数が制限されていない記録情報とは無関係に、レーザ光の照射前及び後における、専ら反射率を調整するための、言わばダミーのエンボスピットを含む趣旨である。【００８３】
このように本実施例においては、専ら反射率を調整するためのダミーの記録マークやダミーのエンボスピットを形成する場合には、光ディスク１００は、再生回数制限領域１５０のみ有していたり、又は再生専用領域１６０のみ有している場合にも、文字等を浮き上がらせたり、消去したりすることが可能となる。但し、ハイブリッド型光ディスクにおいて、実際のレーザ光の照射による再生動作に伴って文字等を浮き上がらせたり消去したりする方が、レーザ光の照射に係るエネルギ節約や照射時間の短時間などに繋がるので、実践上の利益は大きい。【００８４】
次に図２を参照して、本発明の第１実施例に係る光ディスクの再生回数制限領域及び再生専用領域における記録層の物理的特性について説明する。この物理的特性は、より具体的には、再生回数制限領域及び再生専用領域の記録層において記録情報が記録された記録マークが再生用レーザの照射によって消去可能となる特性である。ここに、図２は、本発明の第１実施例に係る光ディスクの再生回数制限領域及び再生専用領域における記録層の再生パワー範囲、消去パワー範囲及び記録パワー範囲の一具体例を示したグラフ図である。図２において、縦軸は、レーザ光のパワーの値を、単位をｍＷ（ミリワット）として示し、横軸は、第１実施例に係る光ディスクのレーザ光の種類（図２中、左側から再生用、消去用及び記録用レーザ）を示す。【００８５】
本発明の第１実施例に係る光ディスクの記録層は、図２に示されるように、再生パワー範囲が原則として０．７ｍＷ以下となるように形成されている。更に、消去パワー範囲と再生パワー範囲とを重ねるために、再生パワー範囲が０．２ｍＷ以上であり且つ０．７ｍＷ以下となるように、記録層は形成されてもよい。記録層は、消去パワー範囲が、０．２ｍＷ以上であり且つ１．０ｍＷ以下となるように形成され、記録パワー範囲が、０．７ｍＷ以上であり且つ２．０ｍＷ以下となるように形成されている。【００８６】
このように、本発明の第１実施例に係る光ディスクは、その再生回数制限領域に関しては、例えば、ＤＶＤ−ＲＯＭ等の再生専用メディアを再生するときに推奨されている、再生パワー範囲と第１実施例に係る消去パワー範囲とが重なった範囲内にあるパワーを有するレーザ光を、再生用レーザとして照射することで再生を行えば、記録情報を再生すると同時に消去することが可能となる。物理的特性の観点からは、再生用レーザが消去パワーで照射されることにより、記録層を、反射率が低レベルであるアモルファス状態から、反射率がある程度高い中間レベルである結晶化状態へ相変化させることが可能となる。【００８７】
特に、再生パワー範囲と消去パワー範囲とが、例えば、５０％以上の割合で重なっていてもよい。また、消去パワー範囲が、再生パワー範囲を包含していてもよい。【００８８】
また例えば、市販のＤＶＤ−Ｒ／Ｗ等の書き換え型情報記録媒体、又は例えばＤＶＤ−Ｒ等の追記型情報記録媒体の記録層の記録パワー範囲と本実施例に係る光ディスクの記録層の記録パワー範囲は重なっていない。従って、市販されている書き換え型又は追記型情報記録媒体のライターによって本実施例に係る光ディスクに記録することはできない。このため、光ディスクの提供者が意図しないような、記録情報の再記録が行われ、制限をかけた筈の再生回数を超えた不正な再生を未然防止できる。他方で、光ディスクの回収者（例えば、提供者）は、図２に示した如き記録用レーザの照射によって記録情報を再記録することができ、光ディスクの再利用が可能となる。【００８９】
次に図３及び図４を参照して、本発明の第１実施例に係る光ディスク１００の再生回数制限領域１５０及び再生専用領域１６０の再生前の物理的構造について詳細に説明する。ここに、図３は比較例に係る光ディスクにおける再生回数制限領域及び再生専用領域の再生前の物理的構造の断面及び平面を示した図式的拡大図である。図４は本発明の第１実施例に係る光ディスクの再生回数制限領域及び再生専用領域の再生前の物理的構造の断面及び平面を示した図式的拡大図である。尚、図３及び図４中の上側部分は、光ディスクの断面を示し、レーザ光は下側から照射される。また、図３及び図４中の下側部分は、光ディスクの記録領域の平面を示し、水平方向の一点鎖線は、図中上側部分に対応する切断面を示す。【００９０】
先ず、図３及び図４を参照して本発明の第１実施例に係る光ディスクに基本的な物理的構造について詳細に説明する。【００９１】
図３及び図４の上側部分に示されるように、第１実施例に係る光ディスク１００は、基板３２と、基板３２上に積層された記録層３０と、太線で示された反射層３１と、保護層３３とを備えて構成されている。尚、これらの層の他、記録層３０の上部や下部に誘電体層等が配置されてもよいし、接着層等から構成される保護層３３の上層側にカバー基板等が貼り付けられてもよい。【００９２】
基板３２には、その表面全域（図３及び図４中、上側の表面全域）に、グルーブトラックＧ及びランドトラックＬがエンボス加工等により形成されている。再生専用領域１６０内におけるグルーブトラックＧ上には、エンボスピットＥＰ及びエンボススペースＥＳがエンボス加工により形成されている。他方で、再生回数制限領域１５０内におけるグルーブトラックＧ上には、記録マーク２０が記録層３０に形成されている。記録マーク２０は、記録用レーザを照射することで、相変化によるピット（相変化により黒くされたピット）として構成されている。反射層３１は、エンボス加工された基板３２に成膜された記録層３０上に直接又は不図示の誘電体層或いは絶縁膜を介して成膜された、例えばＡｌ（アルミニウム）膜等である。【００９３】
光ディスク１００は、再生回数制限領域１５０については、記録層３０を備えた相変化型ディスクの一種として構成されている。この記録層３０の一部に記録マーク２０が形成されることで、データが再生と共に消去可能に記録される。より詳細には、反射率の大きい結晶状態の記録層３０にレーザ光が照射され、部分的に記録層３０が融解されると共に、急速に冷やされる。このことにより、記録層３０が部分的にアモルファス状態にされることで、反射率を低くさせることができる。このようにアモルファス状態にされた記録層３０の一部に記録マーク２０が形成される。他方、アモルファス状態の記録層３０にレーザ光が照射され、部分的に記録層３０が融解されると共に、ゆっくりと冷やされる。このことにより、記録層３０が結晶状態に戻されることで、反射率をより高く戻すことができる。即ち、データが消去可能となる。【００９４】
他方、光ディスク１００は、再生専用領域１６０については、記録層３０の存在とは無関係にエンボスピットＥＰを備えたＲＯＭ型光ディスクの一種として構成されている。より具体的には、ポリカーボネート製の基板３２にはレーザ光等のビームを誘導するためのガイド用トラックとしてのグルーブトラックＧが形成されている。尚、この基板３２において、隣り合ったグルーブトラックＧとグルーブトラックＧとの間の領域をランドトラックＬと呼ぶ。グルーブトラックＧ及びランドトラックＬとの呼び名は、ベースとしての基板３２から見て凹部をグルーブトラックＧと呼び、凸部をランドトラックＬと呼んでいることを付記しておく。即ち、光ピックアップの側から見ると、グルーブ（溝）が凸状部に相当し、ランド（丘）が凹状部に相当する。【００９５】
尚、再生専用領域１６０については、エンボスピットＥＰの存在が再生時の反射光光量を規定する主要因となるので、記録層３０が存在し且つ記録マークがエンボスピットＥＰ上に形成されていても、当該エンボスピットを読取ることは可能であり、他方で、記録層３０が存在し且つ記録マークがエンボスピットＥＰ上に形成されていなくても、やはり同じように当該エンボスピットを読取ることは可能である。【００９６】
このように本実施例では、光ディスク１００は、再生回数制限領域１５０については相変化型ディスクの一種として構成され且つ再生専用領域１６０についてはＲＯＭ型ディスクの一種として構成され、全体としてハイブリッド型ディスクとして構成されている。【００９７】
尚、本実施例では、再生専用領域１６０は、再生回数制限領域１５０と同一の記録層３０が積層されると共に、再生回数制限領域１５０と同一の記録膜が蒸着されていてもよい。このように再生専用領域１６０に積層された記録層３０については、相変化によって情報を記録してもよい。このように記録層３０を再生専用領域１６０にも積層するので、再生回数制限領域１５０との反射率の違いを抑制することが可能となる。また、基板３２の表面全域に記録層３０を成膜すれば、その後の部分的な記録層３０の除去や剥離等を行う必要もないので、製造上便利である。更に、初期化の際に、記録層３０の全域を、結晶化状態としておくことで、記録マーク２０が記録されていない記録層３０部分についての反射率を、その後に記録マーク２０が形成された記録層３０部分の反射率よりも高めることが可能となる。【００９８】
加えて、再生専用領域１６０にも積層された記録層３０を、再生回数が制限された記録情報と無関係に、レーザ光の照射前における、即ち所定回数の再生動作以前における記録層の反射率を低くするために、或いは反射率を所望値に調整するために、利用することも可能である。この際、言わば「ダミーの記録マーク」を記録しておけば、反射率を一層下げることや、反射率を所望値に調整することも可能となる。このように再生専用領域１６０にも積層された記録層３０、更にこれに形成されたダミーの記録マークを利用することで、次に説明するように文字や図形を高コントラストで浮かび上がらせたり、消去したりが可能となる。同様に、エンボスピットＥＰについても、再生回数が制限されていない記録情報とは無関係に、レーザ光の照射前及び後における、反射率を低くするための、言わばダミーのエンボスピットを形成してもよい。ダミーのエンボスピットＥＰを利用することで、次に説明するように文字や図形を高コントラストで浮かび上がらせたり、消去したりが可能となる。【００９９】
特に、図３及び図４においては便宜上図示していないが、光ディスク１００においては、好ましくは、グルーブトラックＧをディスクの回転速度に対応する周波数でウォブリングさせている。このウォブリングされたグルーブトラックＧは、図示しないランドプリピットと同様に、光ディスク１００を出荷する前に予め形成されるものである。そして、光ディスク１００に記録情報、即ち、プリ情報以外の本来記録するべき画像情報等の情報を記録する際には、例えば、情報記録再生装置によってこのグルーブトラックＧのウォブリング周波数を抽出することにより光ディスク１００を所定の回転速度で回転制御するとよい。【０１００】
また特に、ランドトラックＬにはプリ情報に対応する図示しないランドプリピットが形成されていてもよい。このランドプリピットは一般に光ディスク１００を出荷する前に予め形成されているものである。また、このランドプリピットを検出することにより予めプリ情報を取得し、それに基づいて記録光としてのレーザ光の最適出力等が設定されると共に、記録情報を記録すべき光ディスク１００上の位置を示すアドレス情報等が取得され、このアドレス情報に基づいて記録情報が対応する記録位置に記録される。【０１０１】
尚、本実施例においては、グルーブトラックＧ及びランドトラックＬは無くてもよい。【０１０２】
また、再生専用領域１６０上のエンボスピットＥＰと再生回数制限領域１５０に形成された記録マーク２０は連続しているので、トラッキングサーボをかけることが容易である。【０１０３】
次に、比較例を示した図３を参照して本発明の第１実施例に係る光ディスクの作用効果について事前に検討を加える。【０１０４】
図３に示されるように、比較例において、再生専用領域１６０にはエンボスピットＥＰが形成されている。このエンボスピットＥＰを覆った記録層が結晶化状態の再生専用領域１６０の反射率は、記録層がアモルファス状態にある場合と比較して高く、且つエンボスピットが形成されていない場合と比較して高い。このようにエンボスピットが形成されていない場合と比較して反射率が高いのは、エンボスピットによる乱反射等の影響によるものと考察される。このようにエンボスピットＥＰを覆った記録層３０が結晶化状態の再生専用領域１６０は、明るく見える。【０１０５】
他方、再生回数制限領域１５０は、記録層３０が結晶化状態の領域及び、記録用レーザが照射されて記録マーク２０が形成された記録層３０がアモルファス状態の領域から構成される。結晶化状態の領域においては、反射率はある程度高い、即ち反射率は中間レベルである。他方、アモルファス状態の領域においては、反射率は低い、即ち反射率は低レベルである。従って、再生回数制限領域の反射率は平均すると中間レベル乃至低レベルであるため、再生回数制限領域１５０は、上述の如き再生専用領域１６０より暗く見える。【０１０６】
このように、図３に示した比較例のハイブリッド型光ディスクでは、記録情報が記録された記録マーク２０が形成された再生回数制限領域１５０と再生専用領域１６０では、反射率に違いが生じ、視覚的に両者を区別できる。【０１０７】
これに対して、図４に示されるように、本発明の第１実施例に係る光ディスク１００は、記録情報が記録された記録マーク２０が形成された再生回数制限領域１５０と再生専用領域１６０において、再生前の反射率を殆ど又は完全に同じになるように、エンボスピットＥＰ、記録層３０及び記録マーク２０が形成されている。これにより、両領域を視覚的に区別不能にすることができる。即ち、記録マーク２０が存在している状態では、光ディスク１００の記録領域全面を一様に同じ明るさにすることが可能となる。例えば、記録層３０におけるアモルファス状態の面積比率や相変化率を、エンボスピットＥＰの存在を勘案しつつ、再生回数制限領域１５０と再生専用領域１６０との間で調整することで、このように光ディスク１００の記録領域全面を一様に同じ明るさにすることが可能となる。【０１０８】
また、本発明の第１実施例に係る光ディスク１００の再生専用領域１６０において、エンボスピットＥＰと同期してその隣接するランドトラックＬの領域に記録用レーザが照射されて、ダミーの又は何らかの情報を担持する記録マーク２０が形成されてもよい。この場合、エンボスピットＥＰに隣接するランドトラックＬの領域の記録層３０は、反射率がある程度高い中間レベルである結晶化状態から、反射率が低レベルであるアモルファス状態に相変化される。このことにより、エンボスピットＥＰを覆った記録層３０が結晶化状態の再生専用領域１６０はより明るく見えるのに対して、アモルファス状態のランドトラックＬの領域はより暗く見える。よって、再生専用領域１６０では、明暗のパターンが生じて、例えばグレー色にすることが可能となる。このように再生専用領域１６０の反射率を中間レベル乃至低レベルに低めることで、再生回数制限領域１５０の反射率と殆ど又は完全に同じにさせることが可能となる。【０１０９】
以上のように、本実施例によれば、再生回数制限領域１５０内の記録層３０における記録マーク２０の存在と、再生専用領域１６０内のエンボスピットＥＰの存在、ランドトラックＬにおける記録層３０やダミーの記録マーク２０の存在等とを、相対的に調整することで、所定回数の再生動作前であって即ち光ディスク１００が再生可能な状態にある場合には、光ディスク１００の記録領域全面を一様に同じ明るさにすることが可能となる。【０１１０】
次に図５から図７を参照して、本発明の第１実施例に係る光ディスクの再生回数制限領域及び再生専用領域の再生後の物理的構造について詳細に説明する。ここに、図５は本発明の第１実施例に係る光ディスクの再生回数制限領域及び再生専用領域の再生後の物理的構造の一具体例における断面及び平面を示した図式的拡大図である。図６は、本発明の第１実施例に係る光ディスクの再生回数制限領域及び再生専用領域の再生後の物理的構造の他の具体例における断面及び平面を示した図式的拡大図である。図７は、本発明の第１実施例に係る光ディスクの記録面に透かし文字が再生後に浮かび上がった一具体例を示した模式図である。尚、図５から図７中に示された上側部分及び下側部分の相対的位置関係等の概略は、図３及び図４等と同様である。【０１１１】
本発明の第１実施例に係る光ディスク１００では、前述したように、再生前において、再生専用領域１６０と再生回数制限領域１５０との反射率を殆ど又は完全に同じにすることが可能である。そして、再生用レーザが照射されることにより、記録情報が記録された記録マーク２０が再生されると同時に消去された後に、再生回数制限領域１５０と再生専用領域１６０において、反射率を異ならせることが可能である。従って、再生後、光ディスク１００の記録領域の表面において、再生専用領域１６０及び再生回数制限領域１５０によって構成された文字や図形が視覚的に区別され浮かび上がる。【０１１２】
より具体的には、図５に示されるように、本発明の第１実施例に係る光ディスク１００の再生回数制限領域１５０においては、グルーブトラックＧに再生用レーザが照射されることにより、記録マーク２０が再生されつつ消去される。他方で、再生専用領域１６０においては、グルーブトラックＧに再生用レーザが照射されることにより、エンボスピットＥＰが再生される。この際、ランドトラックＬに形成されたダミーの記録マーク２０が消去されることはないように、ランドトラックＬには再生用レーザが照射されないように再生専用領域１６０における再生が行なわれる。すると、再生回数制限領域１５０の反射率は、記録マーク２０が消去された分だけ、再生専用領域１６０の反射率よりも高くなる。即ち、再生回数制限領域１５０に対応する相対的に「明るい」表示パターンが、再生専用領域１６０の中に浮かび上がることになる。【０１１３】
或いは、図６に示されるように、本発明の第１実施例に係る光ディスク１００の再生回数制限領域１５０においては、グルーブトラックＧに再生用レーザが照射されることにより、記録マーク２０が再生されつつ消去される。他方で、再生専用領域１６０においては、グルーブトラックＧに再生用レーザが照射されることにより、エンボスピットＥＰが再生される。この際、ランドトラックＬに形成されたダミーの記録マーク２０が消去されるように、ランドトラックＬにも再生用レーザが照射されるように再生専用領域１６０における再生が行なわれる。すると、再生回数制限領域１５０の反射率は、エンボスピットＥＰが存在しない分だけ、再生専用領域１６０の反射率よりも低くなる。即ち、再生回数制限領域１５０に対応する相対的に「暗い」表示パターンが、再生専用領域１６０の中に浮かび上がることになる。【０１１４】
以上より、再生後には、再生回数制限領域１５０と再生専用領域１６０とを視覚的に区別することが可能となり、両領域の配置に対応した視認可能な明暗の表示パターンを、例えば図７に示したように表示させることが可能となる。【０１１５】
即ち図７に示すように、本発明の第１実施例に係る光ディスク１００では、例えば、教育用コンテンツが記録されているディスクの場合、又は、家庭向けパソコン用のゲームに応用する場合に、再生回数制限領域においては、文字、模様及び画像情報等のディスプレイ表示並びに音楽の再生のための一連のデータ情報が記録マークの形成によって記録されている。この際前述のように、再生前においては、記録マーク２０の形成によって、再生専用領域と再生回数制限領域の反射率を殆ど又は完全に同じとされている。【０１１６】
その後、無事に全てのカリキュラム、又は、ゲームのステージが終了された場合には、それまでの過程で記録マークが再生されると同時に消去された結果、再生回数制限領域と再生専用領域との反射率の差異に応じて、例えば、光ディスクの記録面の最外周において、例えば、「おめでとう／Congratulation」若しくは「ＶＯＩＤ」又は「Ｆｉｎｉｓｈｅｄ」という透かし文字が光ディスクの記録面に浮かび上がる。【０１１７】
それと同時に、例えば、文字、模様及び例えば、卒業証書等の画像情報のディスプレイにおける表示並びに音楽の再生がなされるようにしてもよい。【０１１８】
（第２実施例）
次に図８に加えて前述した図６及び図７を適宜参照して、本発明の第２実施例に係る光ディスク１００の再生回数制限領域及び再生専用領域の再生前の物理的構造について詳細に説明する。ここに、図８は本発明の第２実施例に係る光ディスクの再生回数制限領域及び再生専用領域の再生前の物理的構造の断面及び平面を示した図式的構造図である。尚、図８中に示された上側部分及び下側部分の相対的位置関係等の概略は、図３及び図４等と同様である。【０１１９】
本発明の第２実施例に係る光ディスク１００は、基本的な物理的特性及び構造は第１実施例と同様であり、再生前において、エンボスピットＥＰ、記録層３０及び記録マーク２０の形成によって、再生回数制限領域１５０と再生専用領域１６０の反射率を殆ど又は完全に同じにしている。即ち、記録マーク２０が存在している状態では、光ディスク１００の記録領域全面を一様に同じ明るさにすることが可能となる。例えば、記録層３０におけるアモルファス状態の面積比率や相変化率を、エンボスピットＥＰの存在を勘案しつつ、再生回数制限領域１５０と再生専用領域１６０との間で調整を行う点は第１実施例と同様である。【０１２０】
より具体的には、図８に示されるように、本発明の第２実施例に係る光ディスク１００の再生専用領域１６０において、エンボスピットＥＰと同期してこのエンボスピットＥＰ上に記録用レーザが照射されて記録マーク２０が形成される。このことによって、エンボスピットＥＰを覆った記録層３０は、反射率がある程度高い中間レベルである結晶化状態から、反射率が低レベルであるアモルファス状態に相変化される。従って、記録層３０がアモルファス状態のエンボスピットＥＰが存在する列から構成される再生専用領域１６０の反射率を平均して高レベルから中間レベル乃至低レベルへと低めることができる。【０１２１】
このようにして、再生専用領域１６０の反射率を中間レベル乃至低レベルに低め、結晶化状態の領域及び記録マーク２０が形成されたアモルファス状態の領域から構成される再生回数制限領域１５０の反射率と殆ど又は完全に同じにさせることが可能となる。【０１２２】
また、第２実施例の変形例として、再生専用領域１６０の反射率を中間レベルに低め、結晶化状態の領域のみから構成される再生回数制限領域１５０の反射率と殆ど又は完全に同じにさせてもよい。【０１２３】
以上より、乱反射等の影響により明るさの度合いの高い、記録層３０が結晶化状態のエンボスピットＥＰが、アモルファス状態にされることによって、再生専用領域１６０のエンボスピットＥＰ及びエンボススペースＥＳが存在する列は平均して明るさの度合いが再生回数制限領域１５０の明るさの度合いまで低められ、光ディスク１００の記録領域全面を一様に同じ明るさにすることが可能となる。【０１２４】
尚、再生専用領域１６０では、エンボスピットＥＰ上の記録層３０が結晶化状態からアモルファス状態に相変化するが、エンボスピットＥＰにおける鏡面と比べて反射率が低いという効果は変わらないため記録されている記録情報は再生前後において変わらない。【０１２５】
本発明の第２実施例に係る光ディスクにおける再生回数制限領域と再生専用領域の反射率を再生後に異ならせる物理的構造は、前述した図６で説明した第１実施例と同様である。また、本発明の第２実施例に係る光ディスクにおいて、再生後に、透かし文字等の記録面における浮かび上がり、音楽の再生、例えば卒業証書等の画像情報のディスプレイにおける表示等の実際の効果は、前述した図７で説明した第１実施例と同様である。【０１２６】
（第３実施例）
次に図９に加えて前述した図６及び図７を適宜参照して、本発明の第３実施例に係る光ディスクの再生回数制限領域及び再生専用領域の再生前の物理的構造について詳細に説明する。ここに、図９は本発明の第３実施例に係る光ディスクの再生回数制限領域及び再生専用領域の再生前の物理的構造の断面及び平面を示した図式的構造図である。尚、図９中に示された上側部分及び下側部分の相対的位置関係等の概略は、図３及び図４等と同様である。【０１２７】
本発明の第３実施例に係る光ディスク１００は、基本的な物理的特性及び構造は第１及び第２実施例と同様であり、再生前において、エンボスピットＥＰ、記録層３０及び記録マーク２０の形成によって、再生回数制限領域１５０と再生専用領域１６０の反射率を殆ど又は完全に同じにしている。即ち、記録マーク２０が存在している状態では、光ディスク１００の記録領域全面を一様に同じ明るさにすることが可能となる。例えば、記録層３０におけるアモルファス状態の面積比率や相変化率を、エンボスピットＥＰの存在を勘案しつつ、再生回数制限領域１５０と再生専用領域１６０との間で調整を行う点は第１実施例と同様である。【０１２８】
より具体的には、図９に示されるように、本発明の第３実施例に係る光ディスク１００の再生専用領域１６０において、エンボススペースＥＳと同期してこのエンボススペースＥＳ上に記録用レーザが照射されて記録マーク２０が形成される。このことによって、エンボススペースＥＳを覆った記録層３０は、反射率がある程度高い中間レベルである結晶化状態から、反射率が低レベルであるアモルファス状態に相変化される。従って、記録層３０がアモルファス状態のエンボススペースＥＳ及び記録層３０が結晶化状態のエンボスピットＥＰが存在する列から構成される再生専用領域１６０の反射率を平均して高レベルから中間レベル乃至低レベルへと低めることができる。【０１２９】
このようにして、再生専用領域１６０の反射率を中間レベル乃至低レベルに低め、結晶化状態の領域及び記録マーク２０が形成されたアモルファス状態の領域から構成される再生回数制限領域１５０の反射率と殆ど又は完全に同じにさせることが可能となる。【０１３０】
また、第３実施例の変形例として、再生専用領域１６０の反射率を中間レベルに低め、結晶化状態の領域のみから構成される再生回数制限領域１５０の反射率と殆ど又は完全に同じにさせてもよい。【０１３１】
以上より、乱反射等の影響により明るさの度合いの高い、記録層３０が結晶化状態のエンボスピットＥＰと、記録層がアモルファス状態のエンボススペースＥＳが交互に配置されることによって、再生専用領域のエンボスピットＥＰ及びエンボススペースＥＳが存在する列は平均して明るさの度合いが再生回数制限領域１５０の明るさの度合いまで低められ、光ディスク１００の記録領域全面を一様に同じ明るさにすることが可能となる。【０１３２】
本発明の第３実施例に係る光ディスクにおける再生回数制限領域と再生専用領域の反射率を再生後に異ならせる物理的構造は、前述した図６で説明した第１実施例と同様である。また、本発明の第３実施例に係る光ディスクにおいて、再生後に、透かし文字等の記録面における浮かび上がり、音楽の再生、例えば卒業証書等の画像情報のディスプレイにおける表示等の実際の効果は、前述した図７で説明した第１及び第２実施例と同様である。【０１３３】
（第４実施例）
次に図１０に加えて前述した図６及び図７を適宜参照して、本発明の第４実施例に係る光ディスクの再生回数制限領域及び再生専用領域の再生前の物理的構造について詳細に説明する。ここに、図１０は本発明の第４実施例に係る光ディスクの再生回数制限領域及び再生専用領域の再生前の物理的構造の断面及び平面を示した図式的構造図である。尚、図１０中に示された上側部分及び下側部分の相対的位置関係等の概略は、図３及び図４等と同様である。【０１３４】
本発明の第４実施例に係る光ディスクは、基本的な物理的特性及び構造は第１乃至第３実施例と同様であり、再生前において、記録層３０及び記録マーク２０の形成、並びにエンボスピットＥＰの深さを調節することで、再生回数制限領域１５０と再生専用領域１６０の反射率を殆ど又は完全に同じにすることが可能である。即ち、記録マーク２０が存在している状態では、光ディスク１００の記録領域全面を一様に同じ明るさにすることが可能となる。例えば、記録層３０におけるアモルファス状態の面積比率や相変化率を、エンボスピットＥＰの存在を勘案しつつ、再生回数制限領域１５０と再生専用領域１６０との間で調整を行う点は第１実施例と同様である。【０１３５】
より具体的には、図１０に示されるように、本発明の第４実施例に係る光ディスク１００の再生専用領域１６０において、エンボスピットＥＰの深さを浅くし、往復の光路の長さを調節することで干渉等を生じさせることにより反射の度合いを小さくする。従って、エンボスピットＥＰが存在する列から構成される再生専用領域１６０の反射率を平均して高レベルから中間レベル乃至低レベルへと低めることができる。【０１３６】
このようにして、再生専用領域１６０の反射率を中間レベル乃至低レベルに低め、結晶化状態の領域及び記録マーク等が形成されたアモルファス状態の領域から構成される再生回数制限領域１５０の反射率と殆ど又は完全に同じにさせることが可能となる。【０１３７】
以上より、乱反射等の影響により明るさの度合いの高い、エンボスピットＥＰの深さを浅くすることによって、再生専用領域１６０のエンボスピットＥＰ及びエンボススペースＥＳが存在する列は平均して明るさの度合いが再生回数制限領域１５０の明るさの度合いまで低められ、光ディスク１００の記録領域全面を一様に同じ明るさにすることが可能となる。【０１３８】
本発明の第４実施例に係る光ディスクにおける再生回数制限領域と再生専用領域の反射率を再生後に異ならせる物理的構造は、前述した図６で説明した第１実施例と同様である。但し、再生専用領域１６０の反射率は中間レベル乃至低レベルであるが、同様にして、記録マーク２０の存在しない再生回数制限領域１５０より相対的に「明るい」。また、本発明の第４実施例に係る光ディスクにおいて、再生後に、透かし文字等の記録面における浮かび上がり、音楽の再生、例えば卒業証書等の画像情報のディスプレイ表示等の実際の効果は、前述した図７で説明した第１、第２及び第３実施例と同様である。【０１３９】
（情報記録媒体の第５〜第７実施例）
次に図１１から図１５を参照して、本発明の情報記録媒体に係る、透かし文字が消去される光ディスクの実施例である第５から第７実施例について詳細に説明する。特にこれらの実施例は、例えば、再生専用領域のみによって構成される場合である。【０１４０】
（第５実施例）
先ず図１１を参照して、本発明の第５実施例に係る光ディスク１００の再生専用領域１６０の一部及び他の一部の再生前の物理的構造について詳細に説明する。ここに、図１１は本発明の第５実施例に係る光ディスクの再生専用領域の一部及び他の一部の再生前の物理的構造の断面及び平面を示した図式的拡大図である。尚、図１１中に示された上側部分及び下側部分の相対的位置関係等の概略は、図３及び図４等と同様である。【０１４１】
本発明の第５実施例に係る光ディスクは、基本的な物理的特性及び構造は第１乃至第４実施例と同様であり、再生前において、例えば、ランドトラックLの領域における記録マーク２０の存在の有無によって、再生専用領域１６０の一部と他の一部の反射率を異ならせている。よって、再生可能な状態にある場合、光ディスク１００の記録領域の表面において、再生専用領域１６０の一部と他の一部によって構成された文字や図形が視覚的に区別され浮かび上がっている。【０１４２】
この再生専用領域１６０の一部の反射率を中間レベル乃至低レベルに低めるための物理的構造及び反射率の調節に関する詳細な説明については図４を参照した第１実施例の再生専用領域１６０の説明と同様である。【０１４３】
次に図１２及び図１３に加えて図１１を適宜参照して、本発明の第５実施例に係る光ディスクの再生専用領域の一部及び他の一部の再生後の物理的構造について詳細に説明する。ここに、図１２は本発明の第５実施例に係る光ディスクの再生専用領域の一部及び他の一部の再生後の物理的構造の断面及び平面を示した図式的拡大図である。図１３は、本発明の第５実施例に係る光ディスクの記録面の透かし文字が再生後に消去される一具体例を示した模式図である。尚、図１２及び図１３中に示された上側部分及び下側部分の相対的位置関係等の概略は、図３及び図４等と同様である。【０１４４】
本発明の第５実施例に係る光ディスク１００では、例えば、教育用コンテンツが記録されているディスクの場合、又は、家庭向けパソコン用のゲームに応用する場合に、再生回数制限領域においては、文字、模様及び画像情報等のディスプレイ表示並びに音楽の再生のための一連のデータ情報が記録マークの形成によって記録されている。この際、図１１に示したように、再生前においては、記録マーク２０の形成によって、再生専用領域の一部と再生専用領域の他の一部の反射率の差異によって、「使用可能」という透かし文字が光ディスクの記録面に浮かび上がっている。【０１４５】
その後、無事に全てのカリキュラム、又は、ゲームのステージが終了された場合には、図１２に示されるように、それまでの過程で記録マーク２０が再生されると同時に消去された結果、再生専用領域１６０の一部と再生専用領域１６０の他の一部との反射率の差異が殆ど又は全くなくなる。このことに応じて、図１３に示されるように、透かし文字が光ディスクの記録面から消滅する。【０１４６】
それと同時に、例えば、文字、模様及び例えば、卒業証書等の画像情報のディスプレイにおける表示並びに音楽の再生がなされるようにしてもよい。【０１４７】
（第６実施例）
次に図１４を参照して、本発明の第６実施例に係る光ディスクの再生専用領域の一部及び他の一部の再生前の物理的構造について詳細に説明する。ここに、図１４は本発明の第６実施例に係る光ディスクの再生専用領域の一部及び他の一部の再生前の物理的構造の断面及び平面を示した図式的拡大図である。尚、図１４中に示された上側部分及び下側部分の相対的位置関係等の概略は、図３及び図４等と同様である。【０１４８】
本発明の第６実施例に係る光ディスクは、基本的な物理的構造は第１乃至第５実施例と同様であり、再生前において、記録マーク２０の存在の有無によって、再生専用領域１６０の一部と他の一部の反射率を異ならせることが可能である。よって、光ディスク１００の記録領域の表面において、再生専用領域１６０の一部と他の一部によって構成された文字や図形が視覚的に区別され浮かび上がることが可能となる。【０１４９】
この再生専用領域１６０の一部の反射率を中間レベル乃至低レベルに低めるための物理的構造及び反射率の調節に関する詳細な説明については図８を参照した第２実施例の再生専用領域１６０の説明と同様である。【０１５０】
このようにして、再生専用領域１６０の一部の反射率を中間レベル乃至低レベルに低め、高レベルである再生専用領域１６０の他の一部の反射率と異ならせることが可能となる。【０１５１】
本発明の第６実施例に係る光ディスクにおける再生専用領域の一部及び他の一部の反射率を、再生後に記録マーク２０を消去させることで、同じにさせる物理的構造は、前述した図１２で説明した第５実施例と同様である。また、本発明の第６実施例に係る光ディスクにおいて、再生後に、透かし文字等の記録面における消去、音楽の再生、例えば卒業証書等の画像情報のディスプレイにおける表示等の実際の効果は、前述した図１３で説明した第５実施例と同様である。【０１５２】
（第７実施例）
次に図１５を参照して、本発明の第７実施例に係る光ディスクの再生専用領域の一部及び他の一部の再生前の物理的構造について詳細に説明する。ここに、図１５は本発明の第７実施例に係る光ディスクの再生専用領域の一部及び他の一部の再生前の物理的構造の断面及び平面を示した図式的拡大図である。尚、図１５中に示された上側部分及び下側部分の相対的位置関係等の概略は、図３及び図４等と同様である。【０１５３】
本発明の第７実施例に係る光ディスクは、基本的な物理的特性及び構造は第１乃至第６実施例と同様であり、再生前において、記録マーク２０の存在の有無によって、再生専用領域１６０の一部と他の一部の反射率を異ならせることが可能である。よって、光ディスク１００の記録領域の表面において、再生専用領域１６０の一部と他の一部によって構成された文字や図形が視覚的に区別され浮かび上がることが可能となる。【０１５４】
この再生専用領域１６０の一部の反射率を中間レベル乃至低レベルに低めるための物理的構造及び反射率の調節に関する詳細な説明については図９を参照した第３実施例の再生専用領域１６０の説明と同様である。【０１５５】
このようにして、再生専用領域１６０の一部の反射率を中間レベル乃至低レベルに低め、高レベルである再生専用領域１６０の他の一部の反射率と異ならせることが可能となる。【０１５６】
本発明の第７実施例に係る光ディスクにおける再生専用領域の一部及び他の一部の反射率を、再生後に記録マーク２０を消去させることで、同じにさせる物理的構造は、前述した図１２で説明した第５実施例と同様である。また、本発明の第７実施例に係る光ディスクにおいて、再生後に、透かし文字等の記録面における消去、音楽の再生、例えば卒業証書等の画像情報のディスプレイにおける表示等の実際の効果は、前述した図１３で説明した第５実施例と同様である。【０１５７】
（第８実施例）
次に図１６を参照して、本発明の第８実施例に係る光ディスクの一具体例として、記録面の透かし文字が再生後に変更される場合について詳細に説明する。ここに、図１６は本発明の第８実施例に係る光ディスクの記録面の透かし文字が再生後に変更される一具体例を示した模式図である。【０１５８】
本発明の第８実施例に係る光ディスク１００は、基本的な物理的特性及び構造は第１乃至第７実施例と同様であり、例えば、円盤状の光ディスクの記録領域の図中、０度から１８０度における記録領域の表面には、本発明の第１、第２、第３又は第４実施例を適用して、例えば、「使用済」等の透かし文字を浮かび上がらせる。他方、１８０度から３６０度における記録領域の表面には、本発明の第５、第６又は第７実施例を適用して、例えば「使用可能」等の文字を消去させる。【０１５９】
因みに、利用者は、円盤状の光ディスクのため透かし文字が変更されたような錯覚を起こす。【０１６０】
加えて、このような文字等を浮かび上がらせ、消去させる実施例の組合せとしては、例えば奇数トラックを、文字等を浮かび上がらせるために用いて、偶数トラックを、文字等を消すために用いてもよい。或いは、多層ディスクにおいて、一の記録層を、文字等を浮かび上がらせるために用いて、他の記録層を、文字等を消すために用いてもよい。加えて、多層ディスクにおいては、各層別に、このような文字等が浮かび上がらせたり、消去させるように構成することも可能である。【０１６１】
（第９実施例）
次に、図１７を参照して、本発明の第９実施例に係る光ディスクの物理的構造について詳細に説明する。ここに、図１７は、本発明の第９実施例に係る光ディスクの物理的構造の断面を示した図式的拡大図である。尚、図１７中に示された相対的位置関係等の概略は、図３及び図４等と同様である。【０１６２】
本発明の第９実施例に係る光ディスクは、基本的な物理的特性及び構造は、第１乃至第８実施例と概ね同様である。【０１６３】
特に、第９実施例によれば、光学的記録情報を構成するエンボスピットＥＰ又は記録マーク２０の上に、レーザ光の所定のパワーで透過率が変化する光学特性変化膜３４が、所定の表示パターンがデザインされて積層されている。光学特性変化膜３４は、光ディスクを作成するときにマスクをして積層される。この光ディスクによれば、例えば、再生用レーザの波長を考慮した色素膜によって形成されると、再生用レーザが照射されることで、色素が抜けて透明になり、透過率が高まる。他方、再生用レーザが照射されることで、光学反応によって色素がつき、透過率が低下する。上述したように、光学特性変化膜３４が、所定のパターンでエンボスピットＥＰ又は記録マーク２０の上に積層されているので、所定の回数再生することで、予めデザインされた表示パターンが表示又は消去されることになる。【０１６４】
（第１０実施例）
次に、図１８を参照して、本発明の第１０実施例に係る光ディスクの物理的構造について詳細に説明する。ここに、図１８は、本発明の第１０実施例に係る光ディスクの物理的構造の断面を示した図式的拡大図である。尚、図１８中に示された相対的位置関係等の概略は、図３及び図４等と同様である。【０１６５】
本発明の第１０実施例に係る光ディスクは、基本的な物理的特性及び構造は、第１乃至第９実施例と概ね同様である。【０１６６】
特に、第１０実施例によれば、基板３２を挟んで、光学的記録情報を構成するエンボスピットＥＰ又は記録マーク２０が存在する側の反対側に、即ち、図１８中の下側に、レーザ光の所定のパワーで透過率が変化する光学特性変化膜３５が所定の表示パターンがデザインされて積層されている。光学特性変化膜３５は、通常の製造工程を経て完成された光ディスクの読み取り側の平面に、所定の表示パターンがデザインされたマスクが配置され、レーザ光の所定のパワー等の光学条件で透過率が変化する色素膜が塗布されることで実現可能である。尚、マスクの境界では段差が生じ、エラー訂正率が低下するため、データをこの境界の部分には配置しないことが望ましい。より具体的には、内周側にコンテンツが記録され、外周側の５ｍｍの半径幅に透明な色素膜が文字を表示するように形成される。そして、再生用レーザが照射されることで、この色素膜の色が変化する、又は透過率が変化するようにしてもよい。【０１６７】
尚、第９及び第１０実施例における光学特性変化膜３４及び３５は、可逆的な性質を有するように構成してもよい。より具体的には、ポリーマー等の素材は、波長の異なる光が照射されることで原子の結合状態が変わり、色が現れたり、透明になったりする。これらの素材を第９及び第１０実施例の光学特性変化膜３４及び３５に使用することで、繰り返し同一の光ディスクを使用することが可能となる。【０１６８】
（情報再生装置）
次に図１９を参照して、本発明の実施例に係る光ディスク１００の情報再生装置について説明する。ここに、図１９は本発明の実施例に係る光ディスク１００の情報再生装置２００の全体構成を示すブロック図である。【０１６９】
情報再生装置２００は、光ディスク１００、光ピックアップ２０２、スピンドルモータ２０３、ヘッドアンプ２０４、総和生成回路２１０、ピットデータ復調回路２１１、ピットデータ訂正回路２１２、バッファ２１３、インターフェース２１４、プッシュプル信号生成回路２２０、ローパスフィルタ２２１及びサーボユニット２２２を備えて構成されている。【０１７０】
光ディスク１００には、第１クロック信号ＣＫ１に同期したピットデータＤＰが記録マーク２０の長短によって記録されている。ＲＦ再生信号成分の第１クロック信号ＣＫ１は、前述の光ディスク１００の各種実施例で説明したように、ウォブリング又はアンリーダブルエンボス等に応じて、ほぼ一定周期で変動する光ディスク１００のＲＦ再生信号成分から、当該情報再生装置２００により生成可能な信号であり、本実施例では、ピットデータ復調回路２１１により生成される。尚、本実施例では、記録マーク２０はピットとも解釈でき、トラックはこのピット列によって構成される。【０１７１】
情報再生装置２００は、より具体的には、光ディスク１００に対して再生ビームを照射するとともに反射光に応じた信号を出力する光ピックアップ２０２と、光ディスク１００の回転を制御するスピンドルモータ２０３と、サーボユニット２２２を備える。サーボユニット２２２には、第１クロック信号ＣＫ１及びピット同期信号ＳＹＮＣｐが供給される。サーボユニット２２２は、これらの信号に同期して、スピンドルモータ２０３の回転を制御するスピンドルサーボ、光ピックアップ２０２の光ディスク１００に対する相対的位置制御であるフォーカスサーボ及びトラッキングサーボを実行する。【０１７２】
光ピックアップ２０２は、再生ビームを照射するレーザーダイオード、図示しない４分割検出回路を備える。４分割検出回路は、再生ビームの反射光を図１９の上方に示す領域１Ａ、１Ｂ、１Ｃ、１Ｄに４分割し、各領域の光量に応じた信号を各々出力する。ヘッドアンプ２０４は、光ピックアップ２０２の各出力信号を各々増幅し、領域１Ａに対応する分割読取信号１ａ、領域１Ｂに対応する分割読取信号１ｂ、領域１Ｃに対応する分割読取信号１ｃ、及び領域１Ｄに対応する分割読取信号１ｄを出力する。【０１７３】
総和生成回路２１０は、分割読取信号１ａ、１ｂ、１ｃ、及び１ｄを加算して、総和読取信号ＳＲＦを出力する加算回路からなる。なお、総和読取信号ＳＲＦは、記録マークの長短を表す信号である。【０１７４】
ピットデータ復調回路２１１は、総和読取信号ＳＲＦに基づいてピットデータＤＰを再生すると共に第１クロック信号ＣＫ１を生成する。より具体的にはピットデータ復調回路２１１は、ピット同期信号ＳＹＮＣｐを基準位置として、再生されたピットデータＤＰを所定のテーブルを用いて復調して再生データを生成する。例えば、変調方式としてＥＦＭ変調が採用される場合には、１４ビットのピットデータＤＰを８ビットの再生データに変換する処理が施される。そして、再生データの順序を予め定められた規則に従って並べ換えるデスクランブル処理が実行されて、処理済の再生データが出力される。【０１７５】
このようにして得られた再生データは、ピットデータ訂正回路２１２へ供給され、そこで、エラー訂正処理や補間処理等が施された後、バッファ２１３に記憶される。インターフェース２１４はバッファ２１３に記憶されたデータを順次読み出して所定の出力形式に変換して外部機器へ出力する。【０１７６】
プッシュプル信号生成回路２２０は、（１ａ＋１ｄ）−（１ｂ＋１ｃ）を算出して、プッシュプル信号を生成する。成分（１ａ＋１ｄ）は、読取方向に対して左側の領域１Ａ及び１Ｄに対応する一方、成分（１ｂ＋１ｃ）は、読取方向に対して右側の領域１Ｂ及び１Ｃに対応する。プッシュプル信号の値は再生ビームとピットの相対的な位置関係を表している。【０１７７】
プッシュプル信号はローパスフィルタ２２１を介してサーボユニット２２２へ出力される。サーボユニット２２２は、プッシュプル信号に基づいてトラッキング制御を実行する。【０１７８】
本発明は、上述した実施例に限られるものではなく、請求の範囲及び明細書全体から読み取れる発明の要旨或いは思想に反しない範囲で適宜変更可能であり、そのような変更を伴う情報記録媒体もまた本発明の技術的範囲に含まれるものである。
【産業上の利用可能性】
【０１７９】
本発明に係る情報記録媒体は、例えば、レーザ光を照射することによって記録及び再生可能な光ディスク等に利用可能である。
【図１】
0004425269.tif 000002
【図２】
0004425269.tif 000003
【図３】
0004425269.tif 000004
【図４】
0004425269.tif 000005
【図５】
0004425269.tif 000006
【図６】
0004425269.tif 000007
【図７】
0004425269.tif 000008
【図８】
0004425269.tif 000009
【図９】
0004425269.tif 000010
【図１０】
0004425269.tif 000011
【図１１】
0004425269.tif 000012
【図１２】
0004425269.tif 000013
【図１３】
0004425269.tif 000014
【図１４】
0004425269.tif 000015
【図１５】
0004425269.tif 000016
【図１６】
0004425269.tif 000017
【図１７】
0004425269.tif 000018
【図１８】
0004425269.tif 000019
【図１９】
0004425269.tif 000020